(57)【特許請求の範囲】
【請求項１】
燃焼部の下流側に配設した主伝熱管及び熱端末に温水を循環する副伝熱管と、前記主伝熱管と前記副伝熱管に貫通固定した受熱フィンと、前記主伝熱管の出口側に設けた主温度検出器と、前記副伝熱管の入口側と出口側とを接続した副バイパス回路と、前記副バイパス回路と前記副伝熱管の合流部より下流側に設けた副温度検出器と、通常は閉塞し、前記副バイパス回路の通路を開閉する副開閉手段と、前記燃焼部を制御する主運転制御部と、前記副開閉手段を制御する副温度抑制部とを備え、主副同時運転を要求された場合に主運転制御部が優先的に前記主温度検出器の出力が目標値になるように前記燃焼部を制御し、その際に前記副温度検出器の出力が基準値を超えた場合、前記副温度抑制部が前記副バイパス回路の通路を開口するように前記副開閉手段を制御する熱源装置。
【請求項２】
副開閉手段が動作して副バイパス回路の通路を開口した後に、燃焼部の燃焼量が基準値を下回った場合、前記副バイパス回路の通路を再び閉塞するように前記副開閉手段を制御する副温度上昇部を有する請求項１記載の熱源装置。
【請求項３】
燃焼部の下流側に配設した主伝熱管及び熱端末に温水を循環する副伝熱管と、前記主伝熱管と前記副伝熱管に貫通固定した受熱フィンと、前記主伝熱管の出口側に設けた主温度検出器と、前記副伝熱管の略中間と出口側とを接続した副バイパス回路と、前記副伝熱管と前記副バイパス回路の合流部より下流側に設けた副温度検出器と、通常は前記伝熱管の下流部に接続し、前記副伝熱管の下流部と前記副バイパス回路との通路を切換える切換手段と、前記燃焼部を制御する主運転制御部と、前記切換手段を制御する副温度抑制部とを備え、主副同時運転を要求された場合に主運転制御部が優先的に前記主温度検出器の出力が目標値になるように前記燃焼部を制御し、その際に前記副温度検出器の出力が基準値を超えた場合、前記副温度抑制部が前記副伝熱管の下流部から前記副バイパス回路へ通路を切換えるように前記切換手段を制御する熱源装置。
【請求項４】
切換手段が動作して副伝熱管の下流側から副バイパス回路へと通路を切換えた後に、燃焼部の燃焼量が基準値を下回った場合、前記副バイパス回路から前記副伝熱管の下流側へと通路を再び切換えるように切換手段を制御する副温度抑制解除部を有する請求項３記載の熱源装置。
【請求項５】
副伝熱管の入口側に設けた温度検出器に熱端末の温水を通水する通水手段と、主運転時に熱負荷の状態検知を要求された場合に前記副伝熱管から副バイパス回路へ通路を切換えるように切換手段を制御する状態検知部とを有する請求項１記載の熱源装置。
【請求項６】
燃焼部の下流側に配設した主伝熱管及び熱端末に温水を循環する副伝熱管と、前記主伝熱管と前記副伝熱管に貫通固定した受熱フィンと、前記主伝熱管の出口側に設けた主温度検出器と、前記副伝熱管の出口側に設けた副温度検出器と、前記副伝熱管に温水を通水する通水手段と、前記通水手段を制御する通水制御部と、前記燃焼部を制御する主運転制御部とを備え、主副同時運転を要求された場合に前記主運転制御部が優先的に前記主温度検出器の出力が目標値になるように前記燃焼部を制御し、その際に前記副温度検出器の出力が基準値を超えた場合に前記通水制御部が前記通水手段を停止し、その後燃焼部の燃焼量が基準値を下回った場合に前記通水制御部が前記前記通水手段を駆動する熱源装置。
【発明の詳細な説明】
【０００１】
【発明の属する技術分野】
本発明は、給湯と暖房、給湯と風呂、暖房と風呂に用いられる熱源装置に関するものである。
【０００２】
【従来の技術】
従来、この種の熱源装置は実公平２−３６０３７号公報に記載されているようなものが一般的であった。この装置は図５に示されているように主伝熱管１と副伝熱管２とは燃焼部３の下流側を横断し一体構成に設けている。また、主伝熱管１は副伝熱管２の上流側に位置している。受熱フィン４は主伝熱管１と副伝熱管２に貫通固定されている。主温度検出器５と副温度検出器６は主伝熱管１と副伝熱管２の夫々の出口側に設けられ、温水温度を検出するものである。温度検出器７は副温度検出器６の入口側に設けられている。主伝熱管１の入口側と出口側とを接続した主バイパス回路８には水比例弁９が設けられている。循環ポンプからなる通水手段１０は熱端末である浴槽１１の温水を副伝熱管２に通水するものである。主運転を要求された場合に優先的に主温度検出器５の出力が目標値になるように主運転制御部１２は燃焼部３を制御するものである。副単独運転時に限り、副温度検出器６の出力が目標値になるように副運転制御部１３は燃焼部３を制御するものである。副温度上昇部１４は副出湯温度が要求温度より低い場合に水比例弁９を開口するように制御する。
【０００３】
次に、主単独運転についてを説明する。カラン等が開けられ主伝熱管１に通水された場合、燃焼部３が燃焼を開始する。そして、燃焼熱が受熱フィン４から主伝熱管１に伝わり、温水が主伝熱管１から出湯する。その際、主温度検出器５の出力が目標値になるように主運転制御部１２は燃焼部３の燃焼量を調整する。
【０００４】
次に、副単独運転についてを説明する。通水手段１０が駆動して副伝熱管２に通水した場合、燃焼部３が燃焼を開始する。そして、燃焼熱が受熱フィン４から副伝熱管２に伝わり、温水が副伝熱管２から出湯する。その際、副温度検出器６の出力が目標値になるように副運転制御部１３は燃焼部３の燃焼量を調整する。その後、温度検出器７の出力が要求値に達すると通水手段１０を停止する。
【０００５】
続いて、主副同時運転についてを説明する。カラン等が開けられて主伝熱管１に通水され、かつ通水手段１０により副伝熱管２に温水が通水された場合でも、主単独運転と同様に燃焼部３が燃焼し、主温度検出器５の出力が目標値になるように主運転制御部１２が燃焼量を調整する（主優先制御）。他方、燃焼熱は主に主伝熱管１に伝わるが、残りの燃焼熱が副伝熱管２に伝わり、なりゆきではあるが、温度上昇した温水が副伝熱管２から浴槽１１へ循環する。特に、主運転の要求能力が小さく、逆に副運転の要求能力が大きい場合、主運転制御部１２が燃焼量を小さく調整するので、副伝熱管２の温水は要求温度より低
くなってしまう。
【０００６】
その際に、副温度上昇部１４が水比例弁９を開口するので、水が主バイパス回路８を流れる。この分、主伝熱管１を流れる温水量が減少し、主伝熱管１の内側の熱伝達率が低下するので、主伝熱管１の吸熱量が減少する。さらに、主伝熱管１の吸熱量が減少する分、主運転制御部１２が燃焼量を増加させるので、副伝熱管２への吸熱量も増加し、副伝熱管２の温水は要求温度に近づくことができる。
【０００７】
【発明が解決しようとする課題】
従来の前記する熱源装置では、主運転の要求能力が大きく、逆に副運転の要求能力が小さい主副同時運転の場合、主温度検出器５の出力が目標値になるように燃焼部３が燃焼し、主運転制御部１２が燃焼量を大きく調整するので、副伝熱管２の温水は要求温度より高くなるという課題を有していた。この高温の温水が副伝熱管２から循環すると例えば熱端末が暖房器の場合、室内温度が高くなり過ぎて不快感が生じる。
【０００８】
また、浴槽１１の保温を要求された場合、事前に温度検出器７が浴槽１１の温度を把握する必要がある。そのために、定期的に通水手段１０が浴槽１１の温水を副伝熱管２へ通水し、温水温度を温度検出器７で監視する。その際に、主単独運転中の場合、必ず温水は副伝熱管２を流れながら温度上昇してしまうという課題を有していた。すなわち、副温度検出器６の出力が目標値より高い場合でも浴槽１１の温水を追い焚きしてしまう。なお、副温度検出器６の出力が目標値より低い場合には副運転を実施して浴槽１１の温水を追い焚きする。
【０００９】
そこで、本発明は前記する課題を解決して、主運転の要求能力が大きく、逆に副運転の要求能力が小さい主副同時運転場合でも、副温水が要求された温度が得られる熱源装置を提供することを目的とする。
【００１０】
【課題を解決するための手段】
本発明は上記課題を解決するために燃焼部の下流側に配設した主伝熱管及び熱端末に温水を循環する副伝熱管と、前記主伝熱管と前記副伝熱管に貫通固定した受熱フィンと、前記主伝熱管の出口側に設けた主温度検出器と、前記副伝熱管の入口側と出口側とを接続した副バイパス回路と、前記副バイパス回路と前記副伝熱管の合流部より下流側に設けた副温度検出器と、通常は閉塞し、前記副バイパス回路の通路を開閉する副開閉手段と、前記燃焼部を制御する主運転制御部と、前記副開閉手段を制御する副温度抑制部とを備え、主副同時運転を要求された場合に主運転制御部が優先的に前記主温度検出器の出力が目標値になるように前記燃焼部を制御し、その際に前記副温度検出器の出力が基準値を超えた場合、前記副温度抑制部が前記副バイパス回路の通路を開口するように前記副開閉手段を制御するものである。
【００１１】
そして、副温度検出器の出力が基準値を超えた時に副温度抑制部は副バイパス回路を開口するように副開閉手段を制御するので、温水が副バイパス回路と副伝熱管を流れ、副伝熱管の吸熱量が減少する。続いて、副伝熱管の吸熱量が減少する分、主運転制御部が燃焼量を減少させるので、さらに、副伝熱管の吸熱量も減少する。この結果、副伝熱管の温水は要求温度に近づくことができる。
【００１２】
【発明の実施の形態】
本発明は各請求項に記載する形態で実施できるものであり、請求項１記載のように燃焼部の下流側に配設した主伝熱管及び熱端末に温水を循環する副伝熱管と、前記主伝熱管と前記副伝熱管に貫通固定した受熱フィンと、前記主伝熱管の出口側に設けた主温度検出器と、前記副伝熱管の入口側と出口側とを接続した副バイパス回路と、前記副バイパス回路
と前記副伝熱管の合流部より下流側に設けた副温度検出器と、通常は閉塞し、前記副バイパス回路の通路を開閉する副開閉手段と、前記燃焼部を制御する主運転制御部と、前記副開閉手段を制御する副温度抑制部とを備え、主副同時運転を要求された場合に主運転制御部が優先的に前記主温度検出器の出力が目標値になるように前記燃焼部を制御し、その際に前記副温度検出器の出力が基準値を超えた場合、前記副温度抑制部が前記副バイパス回路の通路を開口するように前記副開閉手段を制御するものである。そして、副温度検出器の出力が基準値を超えた時に副温度抑制部は副バイパス回路を開口するように副開閉手段を制御するので、温水の一部が副バイパス回路を流れる分、副伝熱管を流れる温水量が減少し、副伝熱管の吸熱量が減少する。続いて、副伝熱管の吸熱量が減少する分、主運転制御部が燃焼量を減少させるので、さらに、副伝熱管の吸熱量も減少する。そして、副伝熱管を流れる温水量が減少した結果、副伝熱管の温水は高くなるが、副バイパス回路の温水と混合するので、結局、副伝熱管の温水は要求温度に近づくことができる。
【００１３】
また、請求項２記載のように副開閉手段が動作して副バイパス回路の通路を開口した後に、燃焼部の燃焼量が基準値を下回った場合、副バイパス回路の通路を再び閉塞するように副開閉手段を制御する副温度上昇部とを有するものである。
【００１４】
そして、副温度抑制部が副バイパス回路の通路を開口するように副開閉手段を制御した後に、主運転の要求能力が小さくなった場合、主運転制御部が燃焼部の燃焼量を小さく調整する。この燃焼部の燃焼量が基準値を下回った場合、副温度抑制解除部が副バイパス回路の通路を再び閉塞するように副開閉手段を制御するので、副伝熱管を流れる温水量が増加し、副伝熱管の吸熱量は増加する。続いて、副伝熱管の吸熱量が増加する分、主運転制御部が燃焼量を増加させるので、さらに、副伝熱管への吸熱量も増加する。この結果、副伝熱管の温水は要求温度に近づくことができる。
【００１５】
また、請求項３記載のように燃焼部の下流側に配設した主伝熱管及び熱端末に温水を循環する副伝熱管と、前記主伝熱管と前記副伝熱管に貫通固定した受熱フィンと、前記主伝熱管の出口側に設けた主温度検出器と、前記副伝熱管の略中間と出口側とを接続した副バイパス回路と、前記副伝熱管と前記副バイパス回路の合流部より下流側に設けた副温度検出器と、通常は前記伝熱管の下流部に接続し、前記副伝熱管の下流部と前記副バイパス回路との通路を切換える切換手段と、前記燃焼部を制御する主運転制御部と、前記切換手段を制御する副温度抑制部とを備え、主副同時運転を要求された場合に主運転制御部が優先的に前記主温度検出器の出力が目標値になるように前記燃焼部を制御し、その際に前記副温度検出器の出力が基準値を超えた場合、前記副温度抑制部が前記副伝熱管の下流部から前記副バイパス回路へ通路を切換えるように前記切換手段を制御するものである。そして、副温度検出器の出力が基準値を超えた時に副温度抑制部は副バイパス回路を開口するように切換手段を制御するので、温水が全て副バイパス回路を流れ、副伝熱管の下流部では吸熱できない。
【００１６】
この分、主運転制御部が燃焼量を減少させるので、さらに、副伝熱管の上流部の吸熱量も少し減少する。すなわち、副伝熱管の上流部でしか吸熱できないので、副伝熱管の温水は要求温度に近づくことができる。
【００１７】
また、請求項４記載のように切換手段が動作して副伝熱管の下流側から副バイパス回路へと通路を切換えた後に、燃焼部の燃焼量が基準値を下回った場合、副バイパス回路から副伝熱管の下流部へと通路を再び切換えるように切換手段を制御する副温度抑制解除部を有するものである。そして、副温度抑制部が副伝熱管の下流部から副バイパス回路へ通路を切換えるように切換手段を制御した後に、主運転の要求能力が小さくなった場合、主運転制御部が燃焼部の燃焼量を小さく調整する。続いて、燃焼部の燃焼量が基準値を下回った場合、副温度抑制解除部が副バイパス回路から副伝熱管の下流部へ通路を切換えるよう
に切換手段を制御するので、副伝熱管の下流部が吸熱を開始する。この分、主運転制御部が燃焼量を増加させるので、副伝熱管の上流部の吸熱量も増加し、結局、温水は要求温度に近づくことができる。
【００１８】
また、請求項５記載のように副伝熱管の入口側に設けた温度検出器に熱端末の温水を通水する通水手段と、主運転時に熱負荷の状態検知を要求された場合に副伝熱管から副バイパス回路へ通路を切換えるように切換手段を制御する状態検知部とを有するものである。そして、主運転中に浴槽の保温を要求された場合、通水手段が浴槽の温水を通水させると共に、状態検知部が副伝熱管から副バイパス回路へ通路を切換えるように切換手段を制御する。この結果、温水は副伝熱管を通過することなく、副バイパス回路から再び熱端末へ循環する。すなわち、主単独運転中でも温水は温度上昇することなく、温度検出器により温度が検出できる。
【００１９】
また、請求項６記載のように燃焼部の下流側に配設した主伝熱管及び熱端末に温水を循環する副伝熱管と、前記主伝熱管と前記副伝熱管に貫通固定した受熱フィンと、前記主伝熱管の出口側に設けた主温度検出器と、前記副伝熱管の出口側に設けた副温度検出器と、前記副伝熱管に温水を通水する通水手段と、前記通水手段を制御する通水制御部と、前記燃焼部を制御する主運転制御部とを備え、主副同時運転を要求された場合に前記主運転制御部が優先的に前記主温度検出器の出力が目標値になるように前記燃焼部を制御し、その際に前記副温度検出器の出力が基準値を超えた場合に前記通水制御部が前記通水手段を停止し、その後燃焼部の燃焼量が基準値を下回った場合に前記通水制御部が前記前記通水手段を駆動するものである。そして、温度検出器の出力が基準値を超えた時に通水制御部は通水手段を止めて副運転を停止するので、高温の温水が熱端末へ循環することはなく、その後、主運転の要求能力が小さくなった場合、主運転制御部が燃焼部の燃焼量を小さく調整する。そして、燃焼部の燃焼量が基準値を下回った場合、通水制御部が通水手段を再駆動するので、追い焚きや暖房が再開できる。
【００２０】
【実施例】
以下、本発明の実施例について図面を用いて説明する。
【００２１】
（実施例１）
図１は本発明における実施例１の熱源装置の構成図である。図において、１５は燃焼部である。１６、１７は主伝熱管、副伝熱管であり、主伝熱管１６の下流側に副伝熱管１７を配置し、夫々を面接触にロー付けして一体構成にしている。
【００２２】
この一体構成にした主伝熱管１６と副伝熱管１７は燃焼部１５の下流側を横断して千鳥状に設けている。１８は主伝熱管１６と副伝熱管１７に貫通固定（ロー付け）した受熱フィンである。１９、２０は主伝熱管１６と副伝熱管１７の夫々出口側に設けた主温度検出器、副温度検出器であり、出湯温度を検出するものである。２１は副伝熱管１７の入口側に設けた温度検出器であり、温水の戻り温度を検出するものである。２２は主副同時運転を要求された場合に主温度検出器１９の出力が目標値になるように優先的に燃焼部１５を制御する主運転制御部である。２３は、副伝熱管１７の入口側と、出口側の副温度検出器２０の上流部とを接続した副バイパス回路である。２４は副バイパス回路２３に設けた電磁弁やサーボ弁からなる副開閉手段である。２５は副温度抑制部であり、主副同時運転時に副温度検出器２０の出力が基準値を超えた場合、副バイパス回路２３の通路を開口するように副開閉手段２４を制御するものである。２６は副運転制御部であり、副単独運転時に限り、副伝熱管１７の出口温度を調整するために燃焼部１５のガス比例弁やファン回転数を制御するものである。２７は主伝熱管１６の入口側と出口側とを接続した主バイパス回路であり、水比例弁２８が設けられている。
【００２３】
２９は副温度上昇部であり、副伝熱管の温水が要求温度より低い場合に水比例弁２８を開口する。３０は循環ポンプからなる通水手段である。３１は熱端末の浴槽である。
【００２４】
次に、主単独運転についてを説明する。カラン等が開けられ主伝熱管１６に通水された場合、燃焼部１５が燃焼を開始する。そして、燃焼熱が受熱フィン１８から主伝熱管１６に伝わり、温水が主伝熱管１６の出口から出湯する。その際、主温度検出器１９の出力が目標値になるように主運転制御部２２は燃焼部１５の燃焼量を調整する。
【００２５】
次に、副単独運転についてを説明する。通水手段３０が駆動して副伝熱管１７に通水された場合、燃焼部１５が燃焼を開始する。そして、燃焼熱が受熱フィン１８から副伝熱管１７に伝わり、温水が副伝熱管１７の出口から出湯する。その際、副温度検出器２０の出力が目標値になるように副運転制御部２５は燃焼部１５の燃焼量を調整する。なお、熱端末が浴槽３１の場合、副運転制御部２５が燃焼部１５の燃焼量を固定することもある。
【００２６】
続いて、主・副同時運転について説明する。カラン等が開けられて主伝熱管１６に通水され、かつ通水手段３０により副伝熱管１７に温水が通水された場合でも、主単独運転と同様に要求された主温度検出器１９の出力が目標値になるように燃焼部１５が燃焼し、主運転制御部２２が燃焼量を調整する（主優先制御）。
【００２７】
他方、燃焼熱は主に主伝熱管１６に伝わるが、残りの燃焼熱が副伝熱管１７に伝わり、なりゆきではあるが、温度上昇した副温水が浴槽３１へ循環する。特に、主運転の要求能力が大きく、逆に副運転の要求能力が小さい場合、要求された主出湯温度になるように主運転制御部２２が燃焼量を大きく調整するので、なりゆきである副伝熱管１７の温水は要求温度よりかなり高くなってしまう。その際に、副温度検出器２０の出力が基準値を超えた時に副温度抑制部２５は副バイパス回路２３を開口するように副開閉手段２４を制御するので、温水の一部が副バイパス回路２３を流れる。この分、副伝熱管１７を流れる温水量が減少し、副伝熱管１７の内側の熱伝達率が低下するので、副伝熱管１７の吸熱量が減少する。さらに、副伝熱管１７の吸熱量が減少する分、主運転制御部２２が燃焼量を減少させるので、副伝熱管１７の吸熱量も減少し最後は熱平衡する。そして、副伝熱管１７の吸熱量が減少したにもかかわらず、副伝熱管１７を流れる温水量が減少した結果、副伝熱管１７の温水は逆に高くなるが、副バイパス回路２３を流れる温度上昇していない温水と混合するので、結局、副伝熱管１７の温水は温度上昇が抑制され、要求温度に近づく。
【００２８】
ところでこの実施例１においては、前記副温度抑制部２５が副バイパス回路２３の通路を開口するように副開閉手段２４を制御した後に、燃焼部１５の燃焼量が基準値を下回った場合、副バイパス回路２３の通路を再び閉塞するように副開閉手段２４を制御する副温度抑制解除部３２が設けてある。
【００２９】
副温度抑制部２５が副バイパス回路２３の通路を開口するように副開閉手段２４を制御した後に、主運転の要求能力が小さくなった場合（例えば温水量減少や目標温度低下および主運転停止）、主温度検出器１９の出力が目標値になるように、主運転制御部２２が燃焼部１５の燃焼量を小さく調整する。そして、燃焼部１５の燃焼量が基準値を下回った場合、副温度抑制解除部３２が副バイパス回路２３の通路を再び閉塞するように副開閉手段２４を制御するので、温水が副バイパス回路２３を流れなくなる。この分、副伝熱管１７を流れる温水量が増加し、副伝熱管１７の内側の熱伝達率が増加するので、副伝熱管１７への吸熱量は増加する。さらに、副伝熱管１７への吸熱量が増加する分、主運転制御部２２が燃焼量を増加させるので、副伝熱管１７への吸熱量も増加し、副伝熱管１７の温水は要求温度に近づき最後は熱平衡する。
【００３０】
なお、副温度抑制解除部３２が動作する基準値は事前に実験で得られた燃焼部１５の燃
焼量と副温度検出器２０との関係式から許される副伝熱管１７の温水温度以下になる燃焼部１５の燃焼量（基準値）を求めておく。ただし、副伝熱管１７の温水量が得られないので、基準値は安全率を考慮して少し低めに設定しなければならない。また、副温度抑制解除部３２は副温度検出器２０の出力が目標値より小さくなった場合に動作するようにしても効果はかわらない。
【００３１】
（実施例２）
図２は本発明における実施例２の熱源装置の構成図である。実施例１と異なる点は、燃焼部３３に近接した副伝熱管１７の上流部３４で、かつ最も下流側の出口３５と燃焼部３３に遠隔した副伝熱管１７の下流部３６の出口３７とを副バイパス回路３８で接続し、出口３５には副伝熱管１７の下流部３６と副バイパス回路３８との通路を切換える切換手段３９を設けたことである。切換手段３９は三方弁である。また、主副同時運転時に副温度検出器４０の出力が基準値を超えた場合、副伝熱管の下流部３６から副バイパス回路３８へ通路を切換えるように切換手段３９を制御する副温度抑制部４１を設けている。熱末端には暖房器４２を設けている。なお実施例１と同一符号のものは同一構造を有し、説明は省略する。
【００３２】
主副同時運転についてを説明する。カラン等が開けられて主伝熱管１６に通水され、かつ通水手段３０により副伝熱管１７の上下流部３４，３６に温水が通水された場合、燃焼部３３が燃焼し、主温度検出器１９の出力が目標値になるように主運転制御部２２が燃焼量を調整する。他方、燃焼熱は主に主伝熱管１６に伝わるが、残りの燃焼熱が副伝熱管１７の上下流部３４，３６に伝わり、なりゆきではあるが、温度上昇した温水が暖房器４２へ循環する。特に、主運転の要求能力が大きく、逆に副運転の要求能力が小さい場合、主温度検出器１９の出力が目標値になるように主運転制御部２２が燃焼量を大きく調整するので、なりゆきである副伝熱管１７の上下流部３４，３６の温水は要求温度よりかなり高くなってしまう。その際に、副温度検出器４０の出力が基準値を超えた時に副温度抑制部４１は副バイパス回路３８を開口するように切換手段３９を制御するので、温水が全て副バイパス回路３８を流れる。したがって、副伝熱管１７の下流部３６が吸熱しない分、主運転制御部２２が燃焼量を減少させるので、副伝熱管１７の上流部３４の吸熱量も少し減少する。すなわち、副伝熱管１７の上流部３４でしか吸熱できないので、副バイパス回路３８の温水は温度上昇が抑制され要求温度に近づくことができる。特に、実施例１に比べて、通路を副伝熱管１７の下流部３６から副バイパス回路３８に切換えたので、確実に副運転の能力を抑制できる。
【００３３】
他方、主単独運転時において、副バイパス回路３８の分岐部である出口３５の温度が実施例１に比べて比較的高いので、副バイパス回路３８自身の温度差、すなわち、出口３５と出口３７の温度差が小さく、副バイパス回路３８内で発生する自然対流が弱いので、切換手段３９の温度上昇が少ない。したがって、切換手段３９には耐熱性材料は不要である。なお、切換手段３９の代わりに実施例１の副開閉手段を用いた場合、副伝熱管の下流部３６へ少し温水量があるので、効果は小さくなる。
【００３４】
また、この実施例２においては、前記切換手段３９が動作して副伝熱管１７の下流部３６から副バイパス回路３８へと通路を切換えた後に、燃焼部３３の燃焼量が基準値を下回った場合、副バイパス回路３８から副伝熱管１７の下流部３６へと通路を再び切換えるように切換手段３９を制御する副温度抑制解除部４３が設けてある。
【００３５】
すなわち、副温度抑制部４１が副伝熱管１７の下流部３６から副バイパス回路３８の通路を切換えるように切換手段３９を制御した後に、主運転の要求能力が小さくなった場合、主温度検出器１９の出力が目標値になるように、主運転制御部２２が燃焼部３３の燃焼量を小さく調整する。そして、燃焼部３３の燃焼量が基準値を下回った場合、副温度抑制
解除部４３が副バイパス回路３８から副伝熱管１７の下流部３６へと通路を切換えるように切換手段３９を制御するので、全ての温水が副伝熱管１７の下流部３６を流れる。そして、副伝熱管１７の下流部３６が吸熱を開始する分、主運転制御部２２が燃焼量を増加させるので、副伝熱管１７の上流部３４の吸熱量も増加し、副伝熱管１７の上下流部３４、３６の温水は要求温度に近づくことができる。
【００３６】
なお、副温度抑制解除部４３が動作する基準値は事前に実験で得られた燃焼部３３の燃焼量と副温度検出器４０との関係式から副伝熱管の上流部３４の許される温水温度以下になる燃焼部３３の燃焼量（基準値）を求めておく。ただし、副伝熱管１７の上下流部３４，３６の温水量が得られないので、基準値は安全率を考慮して少し低めに設定しなければならない。また、副温度抑制解除部４３は副温度検出器４０の出力が目標値より小さくなった場合に動作するようにしても効果はかわらない。
【００３７】
（実施例３）
図３は本発明における実施例３の熱源装置の構成図である。実施例１と異なる点は、副伝熱管４４と副バイパス回路４５との通路を切換える切換手段４６を、副伝熱管４４の入口側に設けた第２副開閉手段４７と副開閉手段４８とで構成していることである。ただし、初期には第２副開閉手段４７は開口し、逆に副開閉手段４８は閉塞している。また、主運転時に浴槽４９の保温を要求された場合、通水手段５０が動作すると共に、副伝熱管４４から副バイパス回路４５へ通路を切換えるように切換手段４６を制御する状態検知部５１を設けている。なお、実施例１と同一符号のものは同一構造を有し、説明は省略する。
【００３８】
主運転中に浴槽４９の保温を要求された場合について説明する。通水手段５０により浴槽４９の温水を通水させると共に、状態検知部５１が副伝熱管４４から副バイパス回路４５へ通路を切換えるように切換手段４６を制御する。具体的には、切換手段４６は副開閉手段４８を開口し、逆に第２副開閉手段４７を閉塞する。この結果、通水手段５０により浴槽４９の温水は温度検出器２１に沿って流れた後、副バイパス回路４５から再び浴槽４９へ循環する。すなわち、浴槽４９の温水は副伝熱管４４を通過しないので、例え主単独運転中でも浴槽４９の温水は温度上昇することなく、温度検出器２１により温度が検出できる。なお、浴槽４９の温水は副温度検出器２０で温度を検出してもよい。また、浴槽の温水温度を検出する際、実施例１においては、副開閉手段２４が副バイパス回路２３を開口するように動作させたり、実施例２においては、切換手段３９が副伝熱管１７の下流部３６から副バイパス回路３８へ通路を切換えるように動作させた場合、従来例よりも温度上昇することなく温度検出することができる。
【００３９】
次に、浴槽４９の温水温度が低く、追い焚きが必要な場合は状態検知部５１が再び副バイパス回路４５から副伝熱管４４へ通路を切換えるように切換手段４６を制御し（主副同時運転）、温度検出器２１の出力が目標値に達すると通水手段５０を停止する。
【００４０】
さらに、燃焼部１５が停止している時に切換手段４６を動作させ、通水手段５０により通水を開始すれば、配管からの放熱により熱負荷の温度を下げることができる。
【００４１】
（実施例４）
図４は本発明における実施例４の熱源装置の構成図である。実施例１と異なる点は副温度検出器５２の出力が基準値を超えた場合に通水手段３０を停止し、その後燃焼部５３の燃焼量が基準値を下回った場合に通水手段３０を再駆動する通水制御部５４を設けたことである。なお実施例１と同一符号のものは同じ構造を有し、説明は省略する。
【００４２】
次に、主副同時運転、特に、主運転の要求能力が大きく、逆に副運転の要求能力が小さい場合についてを説明する。要求された主出湯温度になるように主運転制御部２２が燃焼
量を大きく調整するので、なりゆきである副出湯は要求温度よりかなり高くなってしまう。その際に、副温度検出器５２の出力が基準値を超えた時に通水制御部５４は通水手段３０を止めることにより副運転を停止するので、高温の温水が副伝熱管１７から浴槽３１へ循環することはない。また、熱負荷が暖房器の場合でも、室内温度が高くなり過ぎて不快感が生じることもない。ただし、追い焚きや暖房ができないという副作用がある。その後、主運転の要求能力が小さくなった場合、主温度検出器１９の出力が目標値になるように、主運転制御部２２が燃焼部５３の燃焼量を小さく調整する。そして、燃焼部５３の燃焼量が基準値を下回った場合、通水制御部５４が通水手段３０を再駆動するので、追い焚きや暖房が再開できる。なお、通水制御部５４が動作する基準値は事前に実験で得られた燃焼部５３の燃焼量と副温度検出器５２との関係式から許される副伝熱管１７の温水温度以下になる燃焼部５３の燃焼量（基準値）を求めておく。
【００４３】
【発明の効果】
以上のように本発明によれば、次のような有利な効果を有する。
【００４４】
（１）請求項１の発明は副温度検出器の出力が基準値を超えた場合、副バイパス回路の通路を開口するように副開閉手段を制御する副温度抑制部を設けたので、副伝熱管の温水量を減らして吸熱量が小さくなり、温水は要求温度に近づくことができる。
【００４５】
（２）請求項２の発明は燃焼部の燃焼量が基準値を下回った場合、副バイパス回路の通路を再び閉塞するように副開閉手段を制御する副温度上昇部を設けたので、副伝熱管の温水量を増加して吸熱量が大きくなり、温水は要求温度に近づくことができる。
【００４６】
（３）請求項３の発明は副伝熱管の略中間と出口側とを接続した副バイパス回路と切換手段とを設けたので、副伝熱管の下流部では吸熱できなくなり、温水は要求温度に近づくことができる。また、副伝熱管の上流部だけで吸熱しているので、安定して吸熱量を設定できる。さらに、主単独運転時に副伝熱管の略中間の温水温度が比較的高く、副バイパス回路の自然対流が弱いので、切換手段の温度上昇が少ない。したがって、切換手段には耐熱性材料は不要である。
【００４７】
（４）請求項４の発明は燃焼部の燃焼量が基準値を下回った場合、副バイパス回路から副伝熱管の下流部へと通路を再び切換えるように切換手段を制御する副温度抑制解除部を設けたので、副伝熱管の下流部では吸熱でき、温水は要求温度に近づくことができる。
【００４８】
（５）請求項５の発明は副伝熱管から副バイパス回路へ通路を切換えるように副開閉手段を制御する状態検知部を設けたので、主単独運転中でも温水は温度上昇することなく、温度検出器により温度が検出できる。また、燃焼部が停止時には配管からの放熱により熱末端の温度を下げることもできる。
【００４９】
（６）請求項６の発明は副温度検出器の出力が基準値を超えた場合に通水手段を停止し、その後燃焼部の燃焼量が基準値を下回った場合に副運転を開始する通水制御部を設けたので、バイパス回路を設けなくても簡単、確実に高温の温水が熱負荷へ循環することを防止できる。
【図面の簡単な説明】
【図１】  本発明における実施例１の熱源装置の構成図
【図２】  本発明における実施例２の熱源装置の構成図
【図3】  本発明における実施例３の熱源装置の構成図
【図4】  本発明における実施例４の熱源装置の構成図
【図５】  従来の熱源装置の構成図
【符号の説明】
１５、３３、５３  燃焼部
１６  主伝熱管
１７、３４，３６、４４  副伝熱管
１８  受熱フィン
１９  主温度検知器
２０、４０、５２  副温度検知器
２１  温度検知部
２２  主運転制御部
２３、３８、４５  副バイパス回路
２４  副開閉手段
２５、４１  副温度抑制部
３２、４３  副温度抑制解除部
３９、４６  切換手段
３０、５０  通水手段
５１  状態検知部
５４  通水制御部
【図１】
0003855456.tif 000002
【図２】
0003855456.tif 000003
【図３】
0003855456.tif 000004
【図４】
0003855456.tif 000005
【図５】
0003855456.tif 000006